(57)【要約】【課題】より多くの用途に使用可能な組み合せ式電子装置を提供する。【解決手段】ケーシング２及び別のケーシング４を備え、ケーシング２内には第一回路板２０が設けられ、第一回路板２０の一端には第一接続端２００が設けられ、第一接続端２００はケーシング２の一端の外に突き出して電子装置に接続され、電子装置間と電源及び信号の伝送を行うことができ、他端には第二接続端２０１が設けられ、第二接続端２０１はケーシング２の他端まで延伸し、別のケーシング４には第二回路板５が設けられ、第二回路板５の一端には第三接続端５０が設けられ、第三接続端５０は別のケーシング４の一端の外に突き出して第二接続端２０１に接続され、ケーシング２及び別のケーシング４は一体に組み合せられ、かつそれら回路板の間は互いに導通することができる。【選択図】図６
0003120504.tif 000002
【実用新案登録請求の範囲】
【請求項１】
組み合せ式電子装置であって、ケーシングと別のケーシングとを備え、
前記ケーシング内には第一回路板が設けられ、前記第一回路板の一端には第一接続端が設けられ、前記第一接続端はケーシングの一端の外に突き出して電子装置に接続され、電子装置間で電源及び信号の伝送が可能であり、他端には第二接続端が設けられ、前記第二接続端はケーシングの他端の近隣までに延伸し、
別のケーシングには第二回路板が設けられ、前記第二回路板の一端には第三接続端が設けられ、前記第三接続端は別のケーシングの一端の外に突き出して第二接続端に接続され、
前記ケーシング及び前記別のケーシングは一体に組み合せられ、かつそれら回路板の間は互いに導通することを特徴とする組み合せ式電子装置。
【請求項２】
前記ケーシングは、上ケーシングと、側枠と、底ケーシングとを備え、
上ケーシングは、第一回路板の一側に設けられ、
側枠は、上ケーシングと第一回路板との間に設けられ、
底ケーシングは、第一回路板の他側に設けられ、かつ前記上ケーシングと一緒に連接され、前記上ケーシングと前記底ケーシングとの間は側枠によって分離され、前記上ケーシングと前記底ケーシングの相対する一端には第一開口が形成され、前記第一接続端は第一開口を通って第一開口の外へ延伸し、並びに前記上ケーシング及び前記底ケーシングの相対する他端で第二開口を形成し、前記第二接続端は第二開口へ延伸することを特徴とする請求項１に記載の組み合せ式電子装置。
【請求項３】
前記上ケーシングの一端両側にはそれぞれフックが設けられ、底ケーシングの一端両側に設けられるフック溝内に引っ掛け込み、前記上ケーシングの他端にはそれぞれ別のフック溝が設けられ、それは前記底ケーシングの他端両側にそれぞれ設けられる別のフックを引っ掛け込むことを特徴とする請求項２に記載の組み合せ式電子装置。
【請求項４】
前記側枠は、二本の枠棒と、連接棒とを備え、
二本の枠棒は、それぞれ上ケーシングと底ケーシングとの両側縁の間に設けられ、前記二本の枠棒の両端はそれぞれ上ケーシング及び底ケーシングに近隣する両端まで延伸し、
連接棒は、その両端がそれぞれ二本の枠棒の一端に連接されることを特徴とする請求項２に記載の組み合せ式電子装置。
【請求項５】
前記側枠は更に、二つの長形凸塊と、別の二つの長形凸塊とを備え、
二つの長形凸塊は、それぞれ二本の枠棒の上ケーシングに面する一側に設けられ、かつ上ケーシングの両側縁の近隣にそれぞれ設けられる長形凹溝内に納入し、
別の二つの長形凸塊は、それぞれ二本の枠棒の底ケーシングに面する一側に設けられ、かつ底ケーシングの両側縁の近隣にそれぞれ設けられる別の長形凹溝内に納入することを特徴とする請求項４に記載の組み合せ式電子装置。
【請求項６】
前記枠棒の両端間には可動にばね片が設けられ、前記ばね片は枠棒に設けられる欠け口内に納入され、前記ばね片の第一回路板に対面する一面は第一回路板に設けられるスイッチに当て付けられ、前記ばね片の欠け口に背向ける別の面が圧迫されるとスイッチが触動されることを特徴とする請求項４に記載の組み合せ式電子装置。
【請求項７】
前記第一回路板と前記底ケーシングのと間には電源部が設けられ、前記電源部は、プラグと、電源線と、充電電池とを備え、
プラグは、第一回路板に設けられるソケットに接続され、
電源線は、その一端がプラグに連接され、
充電電池は、電源線の他端に連接され、電源装置から第一回路板に入力する電源はプラグ及び電源線を経て前記充電電池に入力され、ばね片がスイッチを触動すると充電電池は電源線、プラグ及び第一回路板を経て貯存電源を第二回路板に出力することを特徴とする請求項６に記載の組み合せ式電子装置。
【請求項８】
前記別のケーシングは、上カバーと、枠体と、底カバーとを備え、
上カバーは、第二回路板の一側に設けられ、
枠体は、上カバーと第二回路板との間に設けられ、
底カバーは、第二回路板の他側に設けられ、かつ前記上カバーと一緒に連接され、前記上カバーと前記底カバーとの間は枠体によって分離され、前記上カバーと前記底カバーの相対する一端には第三開口が形成され、前記第三接続端は第三開口を通って第三開口の外へ延伸し、前記枠体の他端は上カバーと底カバーの相対する他端外へ延伸することを特徴とする請求項２に記載の組み合せ式電子装置。
【請求項９】
前記上カバーの一端両側にはそれぞれ第一フックが設けられ、前記第一フックは底カバーの一端両側にそれぞれ設けられる第一フック孔内に引っ掛け込み、前記上カバーの他端には二つの第二フック孔が設けられ、前記二つの第二フック孔はそれぞれ底カバーの他端に設けられる第二フックを引っ掛け込むことを特徴とする請求項８に記載の組み合せ式電子装置。
【請求項１０】
前記枠体は、二本の側面枠棒と、第一連接棒と、第二連接棒と、端面枠棒とを備え、
二本の側面枠棒は、それぞれ上カバーと底カバーの両側縁の間に設けられ、
第一連接棒は、その両端がそれぞれ二本の側面枠棒の第三開口に近隣する一端に設けられ、
第二連接棒は、その両端がそれぞれ二本の側面枠棒に近隣する他端に設けられ、かつ上カバーと底カバーの他端に隣接し、
端面枠棒は、その両端がそれぞれ二本の側面枠棒の他端に設けられ、前記端面枠棒と第二連接棒との間には長形開口が形成されることを特徴とする請求項８に記載の組み合せ式電子装置。
【請求項１１】
前記第一接続端はキャップと連接し、前記第一接続端はキャップの一端から前記キャップ内に設けられる容納空間内に伸入することを特徴とする請求項８に記載の組み合せ式電子装置。
【請求項１２】
前記第三接続端はキャップと連接し、前記第三接続端はキャップの一端から容納空間内に伸入することを特徴とする請求項１１に記載の組み合せ式電子装置。
【請求項１３】
前記上カバーの上の一面にはディスプレーエリアが凹んで設けられ、前記ディスプレーエリアの一端は上カバーの両端間に設けられ、他端は上カバーの第三開口に近隣する一端まで延伸することを特徴とする請求項８に記載の組み合せ式電子装置。
【請求項１４】
前記ディスプレーエリアには複数個の凸塊が設けられ、前記凸塊はディスプレーエリアの一端から他端まで排列することを特徴とする請求項１３に記載の組み合せ式電子装置。
【請求項１５】
前記ディスプレーエリアには保護カバーが設けられ、前記保護カバーはディスプレーエリアの両端に被さっていることを特徴とする請求項１４に記載の電子装置。
【請求項１６】
前記保護カバーの一端の近隣には組み合せ凸柱が設けられ、前記組み合せ凸柱はディスプレーエリアの一端近隣に設けられる組み合せ孔内に伸入し、前記保護カバーの他端に近隣する両側にはそれぞれ組み合せフックが設けられ、前記二つの組み合せフックはそれぞれディスプレーエリアの他端に近隣する両側に設けられる組み合せフック溝内に引っ掛け込まれることを特徴とする請求項１５に記載の組み合せ式電子装置。
【請求項１７】
前記第一回路板には更に信号サーチモジュールが設けられ、前記信号サーチモジュールが無線ネットワーク信号を受信すると直ちに前記無線ネットワーク信号の強度を偵測して偵測信号を発生することを特徴とする請求項１４に記載の組み合せ式電子装置。
【請求項１８】
前記第二回路板は更に、ディスプレーモジュールと、通信モジュールとを備え、
ディスプレーモジュールは、偵測信号を受信可能であり、並びにディスプレーエリアに違うディスプレー状態が発生し、
通信モジュールは、電子装置が第一回路板を経て伝送された通信信号を受信すると、直ちに無線ネットワークと信号の伝送を行うことを特徴とする請求項１７に記載の組み合せ式電子装置。
【請求項１９】
前記ディスプレーモジュールには更に複数個の発光エレメントが設けられ、前記ディスプレーモジュールは受信した偵測信号によって、それぞれディスプレー電源をそれら発光エレメントに伝送することを特徴とする請求項１８に記載の組み合せ式電子装置。
【請求項２０】
前記発光エレメントは発光ダイオードでもよく、前記発光エレメントは同距離に一直線に排列され、前記第二回路板の中央から第三接続端の近隣まで配列し、かつ各発光エレメントはそれぞれ一つの凸塊と対面することを特徴とする請求項１９に記載の組み合せ式電子装置。
【考案の詳細な説明】
【技術分野】
【０００１】
本考案は組み合せ式電子装置に関するもので、特にケーシングの一端は電子装置と連接することができ、他端は別のケーシングと連接して構成されると、それらケーシングと電子装置の間で電源及び信号の伝送を行うことができるものを指す。
【背景技術】
【０００２】
現在社会はまさに情報と知識が爆発する時代にあり、人と人の間の情報交換とコミュニケーションはますます重要になり、ネットワーク時代の到来に伴って移動通信、無線通信等のネットワークや通信技術はこれまでに見ない速度で迅速に現代の人々の生活領域に展開しており、そのために電子装置の使用形態及び方式はそれに伴って大きな変化が発生し、例えば無線ネットワーク（wirelessＬＡＮ）は最新の通信方式として人々の日常生活と仕事に於いて無線通信のニーズを解決してくれるほか、その他レジャー、娯楽及び情報整理等の需要も提供してくれ、人々が無線ネットワークの関連装置を使用する機会はますます多くなり、特に現在の忙しい都会生活に於いて、各種新しい無線ネットワークの関連装置が次々と送り出され、人々の生活及び仕事に於いて重要な工具になっている。
【０００３】
伝統的有線エリアネットワークと比べると、無線ネットワークは確かに多くの利点があり、先ず使用者は配線の面倒から免れることができ、時間を費やして施工人員の到来と施工を待つ必要がなく、使用者は無線ネットワークの関連設備のある電子装置を使用するだけで、無線ネットワーク信号の発射範囲内でネットワーク間とのオンラインを完成することができ、かつ使用者がノートブック型コンピュータを使ってアクセスする場合、線路の制限を受けることなく、その使用位置を自由に変換することができ、在宅または外出に拘わらず引き続きネットワークとオンラインすることができ、それ故に無線ネットワークは大変使用者に歓迎され、市場のニーズに応じて各種高性能、多機能の無線ネットワークの関連装置が絶えず送り出されている。
【０００４】
現在の所在位置が無線ネットワーク信号の発射範囲内にあるかを確認するため、ある業者は周知の無線エリアネットワークの無線信号偵測装置を開発しており、例えば図１に示すように、中華民国新型特許第Ｍ２４９３６６番には携帯型本体１が設けられ、その携帯型本体１には無線信号偵測ユニット１０、制御装置１１及び操作装置１２が設けられ、その無線信号偵測ユニット１０は無線信号を受信することができ、制御装置１１は無線信号偵測ユニット１０と接続し、無線信号の強さによって反応が発生し、操作装置１２は制御装置１１に接続され、その反応を特定方式をもって使用者に表し、使用者はそれによってその無線信号の有無または強弱を判断する。
【０００５】
ところが、上述無線信号偵測装置の設計と使用の概念は現在の一般電子装置と同じくいくつかの欠点が存在しており、そのために使用上の便利性が大幅に削減制限され、その無線信号偵測装置を例とすれば、先ずその無線信号偵測装置には部品の数が多く、複雑でコストが高く、次は上述部品を収容しなければならず、特に操作装置１２内にはディスプレー及びキーボード等部品が設けられ、そのために携帯型本体１を製作する場合、その体積と大きさを圧縮することができず、現在の電子製品の軽薄短小を追求する傾向に符合することができない。また、その無線信号偵測装置は無線ネットワーク信号の偵測だけを行うことができ、使用者は別のネットワーク装置によってオンラインしなければならず、その無線信号偵測装置は偵測を行うとき以外は遊ばせておく状態にあるだけでなく、かつ使用者の携帯時の負担が増えてしまうので、もし上述欠点が避けられ、尚且つ軽薄短小で部品が簡単で、いつでも使えて、情報交換が行いやすく、加えて機能が増える電子装置を研究開発することができれば、消費者にとって大きな朗報と言える。
【考案の開示】
【考案が解決しようとする課題】
【０００６】
このことに鑑み、従来の無線信号偵測装置の複雑さ、放置されること、精巧でない等欠点を改善するため、本考案の考案者は長年ネットワークの関連製品に従事した経験を生かし、長期間の努力と研究実験を経た後、遂に本考案の組み合せ式電子装置を開発設計することができた。
【課題を解決するための手段】
【０００７】
本考案の目的は組み合せ式電子装置の提供であり、それにはケーシング及び別のケーシングを備え、そのケーシング内には第一回路板が設けられ、その第一回路板の一端には第一接続端が設けられ、その第一接続端はケーシングの一端の外に突き出して電子装置に接続され、その電子装置間と電源及び信号の伝送を行うことができ、他端には第二接続端が設けられ、その第二接続端はケーシングの他端まで延伸し、その別のケーシングには第二回路板が設けられ、その第二回路板の一端には第三接続端が設けられ、その第三接続端は別のケーシングの一端の外に突き出して第二接続端に接続され、そのケーシング及び別のケーシングは一体に組み合せられ、かつそれら回路板の間は互いに導通することができる。このようにその第一回路板と第二回路板はそれぞれにある機能を互いに組み合せることができ、その組み合せ式電子装置はより多くの用途に使用することができる。
【考案を実施するための最良の形態】
【０００８】
本考案の一実施例による組み合せ式電子装置は、図２から図４に示すように、それはケーシング２及び別のケーシング４が互いに連接して構成され、そのケーシング２内には第一回路板２０が設けられ、その第一回路板２０には第一接続端２００及び第二接続端２０１が設けられ、その第一接続端２００は第一回路板２０の一端に設けられてケーシング２の一端外へ突き出し、並びに電子装置（例えばコンピュータ）に接続されてその第一回路板２０と電子装置間は電源及び信号の伝送を行うことができ、第二接続端２０１は第一回路板２０の他端に設けられてケーシング２に近隣する他端まで延伸し、その別のケーシング４内には第二回路板５が設けられ、その第二回路板５の一端には第三接続端５０が設けられ、その第三接続端５０は別のケーシング４の一端外に突き出して第二接続端２０１に接続され、そのケーシング２及び別のケーシング４は一体に組み合せられることができ、かつその第一回路板２０と第二回路板５の間で電源及び信号の伝送を行うことができる。このように、それらケーシング２、４が互いに組み合せられることにより、容易にそれらの回路板２０、５を互いに接続して信号または電源の伝送を行うことができ、かつそれぞれにある機能を互いに組み合せることによって更に多くの機能を生み出し、各機能の使用上の便利さを大幅に向上することができ、その組み合せ式電子装置はより多くの用途に使用され、再び別の電子装置と接続して起動または組み合せる必要がなくなる。
【０００９】
再び図２及び図３に示すように、本実施例に於いてそのケーシング２は上ケーシング２１、底ケーシング２２及び側枠２３から構成され、その上ケーシング２１は第一回路板２０の一側に設けられ、側枠２３は上ケーシング２１と第一回路板２０との間に設けられ、底ケーシング２２は第一回路板２０の他側に設けられ、かつその上ケーシング２１と一緒に連接され、その上ケーシング２１と底ケーシング２２との間は側枠２３によって分離され、その上ケーシング２１及び底ケーシング２３の相対する一端には第一開口が形成され、その第一接続端２００は第一開口を通って第一開口の外へ延伸し、並びに上ケーシング２１及び底ケーシング２２の相対する他端で第二開口を形成し、その第二接続端２０１は第二開口まで延伸して第二接続端２０１は第三接続端５０に接続される。
【００１０】
再び図２及び図３に示すように、本実施例に於いてその上ケーシング２１の一端両側にはそれぞれフック２１０が設けられて底ケーシング２２の一端両側に設けられるフック溝２２０内に引っ掛け込み、その上ケーシング２１他端両側にはそれぞれ別のフック溝２１１が設けられ、それはその底ケーシング２２他端両側にそれぞれ設けられる別のフック２２１を引っ掛け込むことができ、上述構造によってケーシング２の嵌め付けは迅速かつ丈夫に行われて一体に接続される。
【００１１】
再び図２及び図３に示すように、本実施例に於いてその側枠２３は二本の枠棒２３０及び連接棒２３１から構成され、その二本の枠棒２３０はそれぞれ上ケーシング２１と底ケーシング２２との両側縁の間に設けられ、その二本の枠棒２３０の両端はそれぞれ上ケーシング２１及び底ケーシング２２の両端近隣まで延伸し、連接棒２３１の両端はそれぞれ二本の枠棒２３０の一端に連接される。このように、その上ケーシング２１と底ケーシング２２との一端間には第一開口が形成され、並びにその上ケーシング２１と底ケーシング２２との他端間に第二開口が形成される。
【００１２】
再び図２及び図３に示すように、本実施例に於いてその側枠２３は更に二つの長形凸塊２３２及び別の二つの長形凸塊２３３を備え、その二つの長形凸塊２３２はそれぞれ二本の枠棒２３０の上ケーシング２１に対面する一側に設けられ、その二つの長形凸塊２３２は上ケーシング２１の両側側縁の近隣にそれぞれ設けられる長形凹溝２１２内に納入することができ、その別の二つの長形凸塊２３３はそれぞれ二本の枠棒２３０の底ケーシング２２に対面する一側に設けられ、その二つの長形凸塊２３２は底ケーシング２２の両側縁の近隣にそれぞれ設けられる長形凹溝２２２内に納入することができる。このように、上ケーシング２１、枠棒２３０及び底ケーシング２２は緊密に一体に連接することができる。
【００１３】
再び図２及び図３に示すように、本実施例に於いてその枠棒２３０の両端間には可動にばね片２６が設けられ、そのばね片２６は枠棒２３０に設けられる欠け口２３４内に納入されてばね片２６とケーシング２は一体に現れ、そのばね片２６の第一回路板２０に対面する一面は第一回路板２０に設けられるスイッチ２０３に当て付け、そのばね片２６の欠け口２３４に背向ける別の面が圧迫されるとスイッチ２０３が触動されて第一回路板２０及び第二回路板５にある若干の機能が起動される。このように、そのばね片２６を第一回路板２０及び第二回路板５を起動するスイッチにすることにより、多くのスイッチが設置されて体積が増えるという欠点が避けられるだけでなく、軽薄短小の美感が形成される。
【００１４】
再び図２及び図３に示すように、本実施例に於いてその第一回路板２０と底ケーシング２２との間には電源部３が設けられ、その電源部３はプラグ３１、電源線３２及び充電電池３３を備え、そのプラグ３１は第一回路板２０に設けられるソケット２０２に接続され、その電源線３２の一端はプラグ３１に連接され、他端は充電電池３３に連接され、電源装置から第一回路板２０に電源が入力されると電源はプラグ３１及び電源線３２を経て充電電池３３に入力され、ばね片２６がスイッチ２０３を触動すると充電電池３３は電源線３２及びプラグ３１を経て貯存電源を第一回路板２０に出力し、並びに第一回路板２０によってその電源を第二回路板５に出力する。このように、電源を第一回路板２０と第二回路板５へ提供することによって同時にその第一回路板２０及び第二回路板５を起動することができる。
【００１５】
再び図２及び図４に示すように、本実施例に於いてその別のケーシング４は上カバー４０、底カバー４１及び枠体４２から構成され、その上カバー４０は第二回路板５の一側に設けられ、その枠体４２は上カバー４０と第二回路板５との間に設けられ、底カバー４１は第二回路板５の他側に設けられ、かつその上カバー４０と一緒に連接され、その上カバー４０と底カバー４１との間は枠体４２によって分離され、その上カバー４０及び底カバー４１の相対する一端には第三開口が形成され、その第三接続端５０は第三開口を通って別のケーシング４の外へ延伸し、それは第二接続端２０１と接続して第一回路板２０と第二回路板５との間で各種電源及び信号の伝送を行うことができる。
【００１６】
再び図２及び図４に示すように、本実施例に於いてその上カバー４０の一端両側にはそれぞれ第一フック４００が設けられ、その第一フック４００は底カバー４１の一端両側にそれぞれ設けられる第一フック孔４１０内に引っ掛け込むことができ、その上カバー４０の他端には二つの第二フック孔４０１が設けられ、その二つの第二フック孔４０１はそれぞれ底カバー４１の他端に設けられる第二フック４１１の引っ掛けに供される。このように、その別のケーシング４の嵌め付けは迅速に一体に接合されるだけでなく、かつそれら部品の組み合せによってその別のケーシング４の構造はより緊密丈夫になる。
【００１７】
再び図２及び図４に示すように、本実施例に於いてその枠体４２は二本の側面枠棒４２０、第一連接棒４２１、第二連接棒４２２及び端面枠棒４２３から構成され、その二本の側面枠棒４２０はそれぞれ上カバー４０と底カバー４１との両側縁の間に設けられ、その第一連接棒４２１の両端はそれぞれ二本の側面枠棒４２０の第三開口に近隣する一端に設けられ、その第二連接棒４２２の両端はそれぞれ二本の側面枠棒４２０の他端に設けられ、かつ上カバー４０及び底カバー４１の他端に隣接し、その端面枠棒４２３の両端はそれぞれ二本の側面枠棒４２０の他端に設けられ、そのために端面枠棒４２３と第二連接棒４２２との間には長形開口４２４が形成される。このように、その長形開口４２４に連接線を取り付ければその組み合せ式電子装置を使用者の体に吊り掛けることができ、またはその組み合せ式電子装置を適当な場所に吊り掛けることができる。
【００１８】
再び図２及び図５に示すように、本実施例に於いてその第一接続端２００がまだ電子装置に接続されていない場合、その第一接続端２００はキャップ９に連接することができ、またその第三接続端５０が第二接続端２０１と連接すれば、その第三接続端５０はキャップ９に連接することができ、そのキャップ９内には容納空間９０が設けられ、その容納空間９０はキャップ９の一端まで延伸し、その第一接続端２００及び第三接続端５０はキャップ９の一端から容納空間９０内に伸入し、それによって第一接続端２００と第三接続端５０を保護することができ、その組み合せ式電子装置を身に付けて携帯されても完全な保護を受けることができる。
【００１９】
再び図２及び図４に示すように、本実施例に於いてその上カバー４０の上の一面にはディスプレーエリア４４が凹入して設けられ、そのディスプレーエリア４４の一端は上カバー４０の両端間に設けられ、他端は上カバー４０の第三開口の一端近隣までに延伸し、そのディスプレーエリア４４内には複数個の凸塊４４０を備え、それら凸塊４４０はディスプレーエリア４４の一端から他端まで排列され、第二回路板５が起動された場合はそのディスプレーエリア４４によって第二回路板５の若干の操作状態が表示される。
【００２０】
再び図２及び図４に示すように、本実施例に於いてそのディスプレーエリア４４には保護カバー４５が設けられ、その保護カバー４５はディスプレーエリア４４の両端に被さり、その保護カバー４５の一端近隣には組み合せ凸柱４５０が設けられ、その組み合せ凸柱４５０はディスプレーエリア４４の一端近隣に設けられる組み合せ孔４４１内に伸入することができ、その保護カバー４５の他端近隣の両側にはそれぞれ組み合せフック４５１が設けられ、その二つの組み合せフック４５１はそれぞれディスプレーエリア４４の他端近隣の両側に設けられる組み合せフック溝４４２内に引っ掛け込むことができる。このように、その保護カバー４５をディスプレーエリア４４の上に被せることができる。
【００２１】
再び図３及び図４に示すように、本実施例に於いてその第一接続端２００はＵＳＢ（Universal Serial Busの略）プラグでもよく、その第二接続端２０１はＵＳＢソケットでよく、第三接続端５０はＵＳＢソケットでもよく、その第一接続端２００、第二接続端２０１及び第三接続端５０により、第一接続端２００を電子装置の差し込み孔（それもＵＳＢソケットである）に差し込んだ場合、その電子装置から入力された電源を受けて電源部３または第二回路板５へ入力することができ、並びに電子装置と第一回路板２０及び第二回路板５との間で各種信号の伝送を行うことができる。
【００２２】
再び図２及び図６に示すように、本実施例に於いてその第一回路板２０には更に信号サーチモジュール６が設けられ、その入力電源または充電電源が第一回路板２０に伝送された状態に於いて、その信号サーチモジュール６は直ちに起動され、その信号サーチモジュール６は無線ネットワーク信号を受信することができ、並びにその無線ネットワーク信号の強度を偵測して偵測信号が発生し、その偵測信号は第二接続端２０１及び第三接続端５０によって第二回路板５へ伝送される。
【００２３】
再び図３及び図６に示すように、本実施例に於いてその第二回路板５には更にディスプレーモジュール７及び通信モジュール８を備え、そのディスプレーモジュール７は偵測信号を受信することができ、並びにディスプレーエリア４４に違うディスプレー状態を発生し、通信モジュール８は電子装置が伝送した通信信号を受信すると直ちに無線ネットワークと信号の伝送を行い、その電子装置はそれらモジュール６、７、８によって無線ネットワーク信号の強さを偵測し、並びにその無線ネットワーク間で信号の伝送を行うことができる。
【００２４】
再び図４及び図６に示すように、本実施例に於いてそのディスプレーモジュール７には更に複数個の発光エレメント７０を備え、そのディスプレーモジュール７は受信した偵測信号によってそれぞれディスプレー電源をそれら発光エレメント７０に伝送し、光源を変えて射出した発光エレメント７０の数によって、観察者は現在受信したその無線信号の強弱をはっきりわかることができる。
【００２５】
再び図３、図４及び図６に示すように、本実施例に於いてそれら発光エレメント７０は発光ダイオード（light-emitting diode、ＬＥＤ）でもよく、かつそれらは同距離に一直線に排列され、その第二回路板５の中央から第三接続端５０の近隣まで排列し、かつ各発光エレメント７０はそれぞれ一つの凸塊４４０と対面し、それら発光エレメント７０がそれぞれディスプレー電源を受けると光線を上カバー４０に投射し、計量表のような指示状態を形成することができる。
【００２６】
本実施例の組み合せ式電子装置はそれらケーシング２、４の互いの組み合せによって回路板２０、５は容易に連接することができ、かつそれら接続端２００、２０１、５０はすべてＵＳＢをもって連接され、それは直接信号または電源の伝送を行うことができるほか、ＵＳＢの挿入後直ちに使える特性により、それら回路板２０、５は随時に連接を行って若干機能の起動、資料の伝送、信号の受信、信号の発信、音像の放送、ネットワークのアクセス、電源の伝送等を行うことができ、それによってそれら回路板２０、５は各自にある機能を使用することができるだけでなく、かつそれら機能を互いに組み合せて使用上の便利さを向上することができる。
【００２７】
本実施例に於いて、前述ネットワーク信号の捜索及びネットワークオンラインの互いの組み合せは本考案の実施例だけであり、本考案の組み合せ式電子装置はこれに局限されなく、更にその他機能と組み合せることができ、例えば無線信号のネットワークサーチカードをアンテナモジュールに連接すれば、更に無線信号の受信品質及び強弱を向上することができ、または無線信号のネットワークサーチカードをメモリスティックに連接すれば、その組み合せ式電子装置は携帯式ネットワークのハードディスクになり、または無線信号のネットワークサーチカードをネットワークミュージックプレーヤに連接すれば、その組み合せ式電子装置は携帯式無線ネットワークミュージックプレーヤになることができる。このように、その組み合せ式電子装置によって消費者は多くの違った付加機能がもたらす便利さを楽しむことができる。
【００２８】
本考案の実施例の各部材によって次の効果が達成される。
１．その第一回路板２０と第二回路板５を組み合せて使用する、またはその第一回路板２０と第二回路板５を個別に使用することにより、その組み合せ式電子装置はより多くの用途に使われるだけでなく、かつ必要に応じて弾性的に使用することができる。
【００２９】
２．ディスプレーエリア４４をもって電子装置の運転状態が表示されるので、従来の電子装置のようにディスプレースクリーンを設けて空間が無駄になることが避けられ、かつ部材が簡略化されてコストが削減し、組み合せ式電子装置の体積が縮小される。
３．一般スイッチの設置によって組み合せ式電子装置の体積増を避けるため、本考案はケーシング２の一側に起動のスイッチとしてばね片２６を設けており、それは一般スイッチを設置して体積増になる困りごとから免れ、かつ誤接触等の状況の発生を防ぐことができる。
【００３０】
４．その組み合せ式電子装置がまだ電子装置と接続されていない場合、電源部３をもって第一回路板２０と第二回路板５に必要な電源を提供することができ、その他電子装置によって組み合せ式電子装置を起動する必要がない。
５．それら凸塊４４０及びそれら発光エレメント７０の互いの組み合せにより、ディスプレーエリア４４で違う表示の状態が発生し、第二回路板５の若干の運転状態がわかることができる。
以上に述べたのは本考案の具体的最適実施例だけであり、本考案の構造特徴はそれに局限されなく、如何なるこの技術を熟知するものが本考案の領域内に於いて容易に考え及べる変化または改修は、すべて本案の特許範囲内に含まれるものとさせていただきます。
【図面の簡単な説明】
【００３１】
【図１】従来の無線信号偵測装置の模式図である。
【図２】本考案の一実施例による組み合せ式電子装置の斜視図である。
【図３】本考案の一実施例による組み合せ式電子装置のケーシングの分解斜視図である。
【図４】本考案の一実施例による組み合せ式電子装置の別のケーシングの分解斜視図である。
【図５】本考案の一実施例による組み合せ式電子装置のキャップと別のケーシングの使用状態を示す図である。
【図６】本考案の一実施例による組み合せ式電子装置の回路構造図である。
【符号の説明】
【００３２】
２  ケーシング、２０  第一回路板、２００  第一接続端、２０１  第二接続端、２０２  ソケット、２０３  スイッチ、２１  上ケーシング、２１０  フック、２１１  別のフック溝、２１２  長形凹溝、２２  底ケーシング、２２０  フック溝、２２１  別のフック、２２２  別の長形凹溝、２３  側枠、２３０  枠棒、２３１  連接棒、２３２  長形凸塊、２３３  別の二つの長形凸塊、２３４  欠け口、２６  ばね片、３  電源部、３１  プラグ、３２  電源線、３３  充電電池、４  別のケーシング、４０  上カバー、４００  第一フック、４０１  第二フック、４１  底カバー、４１０  第一フック孔、４１１  第二フック孔、４２  枠体、４２０  側面枠棒、４２１  第一連接棒、４２２  第二連接棒、４２３  端面枠棒、４２４  長形開口、４４  ディスプレーエリア、４４０  凸塊、４４１  組み合せ孔、４４２  組み合せフック溝、４５  保護カバー、４５０  組み合せ凸柱、４５１  組み合せフック、５  第二回路板、５０  第三接続端、６  信号サーチモジュール、７  ディスプレーモジュール、７０  発光エレメント、８  通信モジュール、９  キャップ、９０  容納空間
【図１】
0003120504.tif 000003
【図２】
0003120504.tif 000004
【図３】
0003120504.tif 000005
【図４】
0003120504.tif 000006
【図５】
0003120504.tif 000007
【図６】
0003120504.tif 000008